(57)【特許請求の範囲】
【請求項１】
カセット本体と、このカセット本体に設けた給紙ローラと、前記カセット本体の内部に回動可能に設けた底板と、この底板を上方に押し上げる付勢手段と、前記カセット本体に回動可能に設置されて前記底板上に載置された用紙を覆う給紙カバーとを備え、画像形成装置本体に着脱可能な給紙カセットにおいて、
前記給紙カバーを開く動作に連動して前記底板を前記付勢手段の付勢に抗して下方に押し下げるカム機構を備え、前記給紙カバーを閉じた場合には、前記カム機構による前記給紙カバーと前記底板との連結を解除し、前記付勢手段による付勢によって前記底板を上方に押し上げて、前記底板上の用紙を前記給紙ローラに当接させることを特徴とする給紙カセット。
【請求項２】
前記カム機構を、前記給紙カバーにおける回動軸近傍に設けた延出部と、前記底板上に設けられ、前記給紙カバーの回動時に前記延出部に当接する凸部とから構成することを特徴とする請求項１記載の給紙カセット。
【請求項３】
前記凸部の頂上部に凹部を設け、前記給紙カバーを所定位置まで開いた時に前記延出部の一部が前記凹部に係合することを特徴とする請求項２記載の給紙カセット。
【発明の詳細な説明】
【０００１】
【発明の属する技術分野】
本発明は、複写機、ファクシミリ装置，プリンタ等に適用される給紙カセットに関するものである。
【０００２】
【従来の技術】
従来におけるこの種の技術としては、実開平２−８６９４１号公報記載の給紙カセットの装着構造がある。この装着構造によれば、給紙カセットを斜め方向からカセット装着部に差し込み、下方に回動させることで装着が完了するが、その際給紙カセットの回動に連動して底板が押し上げられる。また、給紙カセットを外す際には給紙カセットを持ち上げて引き抜く動作を行なうが、この時、給紙カセットの回動に連動して底板が下方に移動する。
【０００３】
【発明が解決しようとする課題】
しかしながら、前述した従来の技術においては、給紙カセットに用紙をセットする際、給紙カセットを画像記録装置本体から外してから用紙をセットし、その後本体に再装着する必要があるために、用紙セットの作業性が低く、底板の上昇機構も複雑なものとなる。
【０００４】
本発明は、このような問題を解決し、簡単な機構で用紙セットが容易に可能な給紙カセットを提供することを目的とする。
【０００５】
【課題を解決するための手段】
前記目的を達成するための本発明は、カセット本体と、このカセット本体に設けた給紙ローラと、前記カセット本体の内部に回動可能に設けた底板と、この底板を上方に押し上げる付勢手段と、前記カセット本体に回動可能に設置されて前記底板上に載置された用紙を覆う給紙カバーとを備え、画像形成装置本体に着脱可能な給紙カセットにおいて、前記給紙カバーを開く動作に連動して前記底板を前記付勢手段の付勢に抗して下方に押し下げるカム機構を備え、前記給紙カバーを閉じた場合には、前記カム機構による前記給紙カバーと前記底板との連結を解除し、前記付勢手段による付勢によって前記底板を上方に押し上げて、前記底板上の用紙を前記給紙ローラに当接させることを特徴とする。このような構成により、給紙カセットを画像形成装置本体に装着した状態または取り外した状態のいずれにおいても、給紙カバーを開くことに連動して底板が下がり、底板上に用紙をセットすることが可能な状態になる。
【０００６】
また本発明は、前記カム機構を、前記給紙カバーにおける回動軸近傍に設けた延出部と、前記底板上に設けられ、前記給紙カバーの回動時に前記延出部に当接する凸部とから構成することを特徴とする。このような構成により、カム機構を簡単に構成することができる。
【０００７】
また本発明は、前記凸部の頂上部に凹部を設け、前記給紙カバーを所定位置まで開いた時に前記延出部の一部が前記凹部に係合することを特徴とする。このような構成により、給紙カバーの必要以上の回動動作が規制される。
【０００８】
【発明の実施の形態】
以下、本発明の実施形態について、図面を参照して詳細に説明する。
【０００９】
図１は本発明の一実施形態の給紙カセットの内部構成を示す側面図であり、１は給紙カセット、２はカセット本体、３は底板、４は給紙カバー、５は付勢部材、６は給紙コロを示す。なお、説明の都合上、給紙コロ６による用紙の給紙方向側を前側もしくは前部、反対側を後側もしくは後部と称する。
【００１０】
カセット本体２の前部にはケース状の凹部が形成されており、この凹部の後側の上部に底板３の一端部の両側が軸３ａによって回動可能に設置されている。また、上下動する底板３の他端部の下方には付勢部材５が設けられており、この付勢部材５によって底板３は上方に付勢されている。さらに、カセット本体２の前部には給紙コロ６が設置されており、この給紙コロ６は底板３の他端の上方に位置付けられている。また、カセット本体２の前部でかつ給紙コロ６の後方に給紙カバー４が回動軸４ａを軸として回動可能に設置されており、この給紙カバー４は底板３の上方に位置する。
【００１１】
底板３の両側部における回動軸４ａ，４ａの部位下方でかつ後方の位置には斜面を有する凸部３ｂが形成されており、この凸部３ｂの頂上には凹部３ｃが形成されている。さらに給紙カバー４の両側部における回動軸４ａの部位から略三角形状の延出部４ｂが形成されており、給紙カバー４を閉じた状態においては、凸部３ｂの前方に延出部４ｂが位置している。
【００１２】
次に、動作について説明する。
【００１３】
給紙カバー４を閉じた状態においては、図１に示すように、底板３は付勢部材５の付勢によってその他端が給紙コロ６に当接する。この状態から給紙カバー４を開けると、給紙カバー４の回動とともに延出部４ｂが回動してやがて凸部３ｂに当接する。さらに給紙カバー４を開けると、延出部４ｂが凸部３ｂの斜面を移動することにより底板３は下方の応力を受けて、付勢部材５の付勢に抗して下方に回動する。そしてさらに給紙カバー４を開けると、図２に示すように、延出部４ｂの先端部が凹部３ｃに嵌入してそれ以上の回動が規制され、底板３が下方に位置決めされて給紙コロ６と底板３との間に用紙をセットするだけのスペースが形成される。また、この状態で給紙カバー４から手を離しても給紙カバー４は下方に回動しない。そして、延出部４ｂの先端部が凹部３ｃから外れる程度の力で給紙カバー４を下方に回動させることにより、給紙カバー４を閉じるとともに底板３は上方に回動する。
【００１４】
次に、用紙セットの作業について説明する。
【００１５】
まず、図３（ａ）に示すように、給紙カセット１を画像記録装置本体７に装着する。次に、図３（ｂ）に示すように、給紙カバー４を開き、底板３上に用紙Ｐをセットする。そして、図３（ｃ）に示すように、給紙カバー４を閉じることにより給紙カセット１内部では用紙Ｐの先端部が適切な給紙圧を得て給紙コロ６に当接するようになり、作業が完了する。
【００１６】
このように構成した本実施形態の給紙カセットによれば、給紙カバー４と底板３との簡単なカム機構によって、用紙セットの際に底板３を移動させ、用紙Ｐをセットするためのスペースを形成させることが可能となる。しかも、給紙カセット１を画像記録装置本体７に装着した状態での用紙セットが可能になり、用紙セット性を向上させることが可能となる。
【００１７】
【発明の効果】
以上、説明したように構成された本発明によれば、給紙カバーの回動を底板に伝達するという簡単なカム機構によって底板を移動させて、用紙をセットするためのスペースを形成させることが可能となる。しかも、給紙カセットを画像記録装置本体に装着した状態または取り外した状態のいずれにおいても、用紙セットが可能になり、用紙のセット性を向上させることが可能となる。
【図面の簡単な説明】
【図１】本発明の一実施形態の給紙カセットの内部構成を示す側面図
【図２】図１において給紙カバーを開けた状態を示す側面図
【図３】用紙のセット作業を示す説明図
【符号の説明】
１  給紙カセット
２  カセット本体
３  底板
３ａ  軸
３ｂ  凸部
３ｃ  凹部
４  給紙カバー
４ａ  回動軸
４ｂ  延出部
５  付勢部材
６  給紙コロ
７  画像記録装置本体
【図１】
0003589843.tif 000002
【図２】
0003589843.tif 000003
【図３】
0003589843.tif 000004